(57)【要約】【課題】鉄筋結束具の鉄筋への取り付けを容易にする取り付け治具を提供する。【解決手段】  鉄筋結束具の取り付け治具１は、第１の鉄筋１０１の外径に沿うように湾曲し、第１の鉄筋１０１に掛け止めされる掛止部１１ａと、掛止部１１ａに連設され、掛止部１１ａが第１の鉄筋１０１に掛け止めされた場合に第１の鉄筋１０１と並行して延びるように形成された棒状の爪部１５と、第１の掛止部１１ａ及び爪部１５に続く操作レバー１４とを備え、掛止部１１ａが第１の鉄筋１０１に掛け止めされた状態において、爪部１５と第１の鉄筋１０１との間は鉄筋結束具２の腕部２４の外径よりも離れており、前記掛け止めされた状態を維持しながら操作レバー１４を回転させたとき、爪部１５と第１の鉄筋１０１との間に挟まれた腕部２４が爪部１５によって第１の鉄筋１０１に巻き付けられる。【選択図】図８Ａ
2020197012.tif 000002
【特許請求の範囲】
【請求項１】
交差する第１及び第２の鉄筋の交差部を結束する鉄筋結束具を取り付けるための取り付け治具において、
前記鉄筋結束具は、
前記第１の鉄筋を挿入可能なＵ字状屈曲部と、
前記Ｕ字状屈曲部の両下端に設けられ、前記第２の鉄筋を保持する第１及び第２の鉄筋保持部と、
前記第１及び第２の鉄筋保持部のそれぞれから前端に向かって上方に傾斜して延びる第１及び第２の腕部と
を有しており、
前記第１の鉄筋の外径に沿うように湾曲しており、前記第１の鉄筋に掛け止めされる第１の掛止部と、
前記第１の掛止部に連設され、前記第１の掛止部が前記第１の鉄筋に掛け止めされた場合に前記第１の鉄筋と並行して延びるように形成された棒状の爪部と、
前記第１の掛止部及び前記爪部に続く操作レバーと
を備え、
前記第１の掛止部が前記第１の鉄筋に掛け止めされた状態において、前記爪部と前記第１の鉄筋との間は前記第１又は第２の腕部の外径よりも離れており、前記掛け止めされた状態を維持しながら前記操作レバーを回転させたとき、前記爪部と前記第１の鉄筋との間に挟まれた前記第１又は第２の腕部が前記爪部によって前記第１の鉄筋に巻き付けられることによって、前記鉄筋結束具が前記第１及び第２の鉄筋に取り付けられる、
鉄筋結束具の取り付け治具。
【請求項２】
前記第１の鉄筋の外径に沿うように湾曲しており、前記第１の掛止部が掛け止めされる位置から所定距離離れた位置で前記第１の鉄筋と掛け止めされる第２の掛止部をさらに備え、
前記第１及び第２の掛止部が前記第１の鉄筋に掛け止めされた状態を維持しながら前記操作レバーを回転させたとき、前記爪部と前記第１の鉄筋との間に挟まれた前記第１又は第２の腕部が前記爪部によって前記第１の鉄筋に巻き付けられることによって、前記鉄筋結束具が前記第１及び第２の鉄筋に取り付けられる、
請求項１に記載の鉄筋結束具の取り付け治具。
【請求項３】
前記爪部が、円柱形状の棒状部材で構成されている、
請求項１又は２に記載の鉄筋結束具の取り付け治具。
【請求項４】
前記爪部が、軸回りに回転自在に構成されている、
請求項１乃至３の何れかに記載の鉄筋結束具の取り付け治具。
【発明の詳細な説明】
【技術分野】
【０００１】
本発明は、交差する鉄筋の交差部を結束する鉄筋結束具を取り付けるための取り付け治具に関する。
【背景技術】
【０００２】
１本のバネ性金属線材を屈曲させて形成された鉄筋結束具であって、その切り離し一端部に形成された短い第１捲き掛けアームと、これと向かい合うように並設された長い第２捲き掛けアームと、第１、第２捲き掛けアームの間に介在された捲き掛けアーチと、切り離し他端部に形成された捲き掛けフックとを備えたものが開示されている。この鉄筋結束具の場合、まず、第１捲き掛けアームと第２捲き掛けアームとをフープ筋の正面に仮止めし、その後、第２捲き掛けアームを把持して主筋内側に向かって強制的に押し倒しながら、その先端部の捲き掛けフックを一旦主筋から逃げる横方向へ押し開いた後、その捲き掛けフックを主筋内側へ横断させることにより、捲き掛けフックが主筋に掛止されて、鉄筋への取り付けが完了する。
【先行技術文献】
【特許文献】
【０００３】
【特許文献１】特開２００４−３６０４５６号公報
【発明の概要】
【発明が解決しようとする課題】
【０００４】
上記の従来の鉄筋結束具の場合、第２捲き掛けアームを主筋内側に強制的に押し倒しながら捲き掛けフックを主筋内側へ横断させる際に、相当程度の力が必要になるため、手作業での取り付けが困難であるという問題がある。
【０００５】
本発明は斯かる事情に鑑みてなされたものであり、その主たる目的は、鉄筋結束具を容易に取り付けることを可能にする鉄筋結束具の取り付け治具を提供することにある。
【課題を解決するための手段】
【０００６】
上述した課題を解決するために、本発明の一の態様の鉄筋結束具の取り付け治具は、交差する第１及び第２の鉄筋の交差部を結束する鉄筋結束具を取り付けるための取り付け治具において、前記鉄筋結束具は、前記第１の鉄筋を挿入可能なＵ字状屈曲部と、前記Ｕ字状屈曲部の両下端に設けられ、前記第２の鉄筋を保持する第１及び第２の鉄筋保持部と、前記第１及び第２の鉄筋保持部のそれぞれから前端に向かって上方に傾斜して延びる第１及び第２の腕部とを有しており、前記第１の鉄筋の外径に沿うように湾曲しており、前記第１の鉄筋に掛け止めされる第１の掛止部と、前記第１の掛止部に連設され、前記第１の掛止部が前記第１の鉄筋に掛け止めされた場合に前記第１の鉄筋と並行して延びるように形成された棒状の爪部と、前記第１の掛止部及び前記爪部に続く操作レバーとを備え、前記第１の掛止部が前記第１の鉄筋に掛け止めされた状態において、前記爪部と前記第１の鉄筋との間は前記第１又は第２の腕部の外径よりも離れており、前記掛け止めされた状態を維持しながら前記操作レバーを回転させたとき、前記爪部と前記第１の鉄筋との間に挟まれた前記第１又は第２の腕部が前記爪部によって前記第１の鉄筋に巻き付けられることによって、前記鉄筋結束具が前記第１及び第２の鉄筋に取り付けられる。
【０００７】
この態様において、前記第１の鉄筋の外径に沿うように湾曲しており、前記第１の掛止部が掛け止めされる位置から所定距離離れた位置で前記第１の鉄筋と掛け止めされる第２の掛止部をさらに備え、前記第１及び第２の掛止部が前記第１の鉄筋に掛け止めされた状態を維持しながら前記操作レバーを回転させたとき、前記爪部と前記第１の鉄筋との間に挟まれた前記第１又は第２の腕部が前記爪部によって前記第１の鉄筋に巻き付けられることによって、前記鉄筋結束具が前記第１及び第２の鉄筋に取り付けられてもよい。
【０００８】
また、この態様において、前記爪部が、円柱形状の棒状部材で構成されていてもよい。
【０００９】
また、上記態様において、前記爪部が、軸回りに回転自在に構成されていてもよい。
【発明の効果】
【００１０】
本発明に係る鉄筋結束具の取り付け治具によれば、非力な作業者であっても、鉄筋結束具を容易に取り付けることが可能になる。
【図面の簡単な説明】
【００１１】
【図１】実施の形態に係る取り付け治具の構成を示す平面図。
【図２】実施の形態に係る取り付け治具の構成を示す右側面図。
【図３】実施の形態に係る取り付け治具の構成を示す左側面図。
【図４】鉄筋結束具の構成を示す斜視図。
【図５】鉄筋結束具の構成を示す平面図。
【図６】鉄筋結束具の構成を示す正面図。
【図７】鉄筋結束具の構成を示す左側面図。
【図８Ａ】鉄筋結束具の取り付け工程を説明するための斜視図。
【図８Ｂ】鉄筋結束具の取り付け工程を説明するための斜視図。
【発明を実施するための形態】
【００１２】
以下、本発明の好ましい実施の形態を、図面を参照しながら説明する。
【００１３】
［鉄筋結束具の取り付け治具の構成］
図１は、本実施の形態に係る鉄筋結束具の取り付け治具の構成を示す平面図である。また、図２はその右側面図、図３はその左側面図である。なお、説明の便宜上、図２及び図３には結束対象となる鉄筋が記載されている。
【００１４】
取り付け治具１は、所定距離離れて平行に延びる２本の棒状部１１，１２と、棒状部１１，１２をそれらの後端で連結するための連結部１３と、棒状部１１に続いて後方に延びる操作レバー１４とを備えている。
【００１５】
棒状部１１，１２、連結部１３、及び操作レバー１４は、同径の円柱形状の棒状部材で構成されている。但し、これらの少なくとも１つが異なる径であってもよく、円柱以外の外径形状であってもよい。
【００１６】
棒状部１１，１２の前端には、鉄筋１０１に掛け止めされる掛止部１１ａ，１２ａが設けられている。掛止部１１ａ，１２ａは、棒状部１１，１２の前端部分を、上下方向に湾曲させることによって形成される。掛止部１１ａ，１２ａは、鉄筋の外径に沿うように湾曲されており、その湾曲部分を当該鉄筋の外周に当接させることによって、その鉄筋に掛け止めされる。
【００１７】
棒状部１１の前端側には、棒状部１１の延在方向において掛止部１１ａと連なって爪部１５が取り付けられている。爪部１５は、円柱形状の棒状部材で構成されており、棒状部１２に向かって棒状部１１の延在方向と交差する方向に延びるように設けられている。また、爪部１５は、その長手方向軸回りに回転可能なように棒状部１１の側周面に取り付けられている。
【００１８】
上記の爪部１５は、掛止部１１ａが鉄筋１０１に掛け止めされた状態において、爪部１５と鉄筋１０１との間の距離が後述する鉄筋結束具の腕部の外径よりも大きくなるように、棒状部１１の所定位置に取り付けられている。これにより、爪部１５と鉄筋１０１との間で当該腕部を挟むことが可能になる。
【００１９】
なお、爪部１５は、棒状部１１，１２、連結部１３、及び操作レバー１４よりも一回り小さい径の円柱形状を有している。但し、これに限定されるわけではなく、これらと同径であってもよく、より大きな径であってもよい。
【００２０】
［鉄筋結束具の構成］
図４は、取り付け治具１によって鉄筋に取り付けられる鉄筋結束具の構成を示す斜視図である。また、図５乃至図７はその構成を示す平面図、正面図、及び左側面図である。これらの図に示すとおり、鉄筋結束具２は、１本の金属線材が所定の形状に折り曲げられることによって構成されている。
【００２１】
鉄筋結束具２の後端部には、Ｕ字状に屈曲された屈曲部２１が設けられている。屈曲部２１は、鉄筋を挿入可能にするために当該鉄筋の外径に沿うように屈曲しており、その両端は下方に延びている。
【００２２】
屈曲部２１の両下端には、鉄筋をその軸方向の２箇所で保持するための鉄筋保持部２２，２３が設けられている。これらの鉄筋保持部２２，２３は、鉄筋を保持する領域を形成するために、前方に向かって湾曲している。
【００２３】
鉄筋保持部２２，２３の湾曲部分から前端に向かって２本の腕部２４，２５が延設されている。これらの腕部２４，２５は上方に傾斜して延びており、腕部２５は、腕部２４よりも上方に向かって傾斜している。また、腕部２４は、腕部２５よりも全長が長く、その先端は腕部２５と比べてより前方に位置している。
【００２４】
［鉄筋結束具の取り付け工程］
以下、鉄筋結束具２の取り付け工程について説明する。図８Ａ及び図８Ｂは、鉄筋結束具の取り付け工程を説明するための斜視図である。図８Ａに示すように、鉄筋結束具２が、直交する第１の鉄筋１０１及び第２の鉄筋１０２の交差部に配置される。より具体的に説明すると、屈曲部２１が第１の鉄筋１０１に挿入された状態で、鉄筋保持部２２，２３が第１の鉄筋１０１の下方に位置する第２の鉄筋１０２をその軸方向の２箇所で保持するように、鉄筋結束具２が配置される。
【００２５】
上述したように鉄筋結束具２が配置された後、図８Ａに示すとおり、取り付け治具１の掛止部１１ａ，１２ａが第１の鉄筋１０１の２箇所に掛け止めされるように、取り付け治具１を操作する。より具体的には、鉄筋結束具２の屈曲部２１及び第２の鉄筋１０２を跨いだ２箇所に掛止部１１ａ，１２ａがそれぞれ掛け止めされる。
【００２６】
上記のように掛止部１１ａ，１２ａが掛け止めされるとき、掛止部１１ａを鉄筋結束具２の前端側（腕部２４，２５の延出側）に配置し、鉄筋結束具２の腕部２４を、爪部１５と第１の鉄筋１０１との間に挟み込むようにする。
【００２７】
次に、掛止部１１ａ，１２ａが第１の鉄筋１０１に掛け止めされた状態を維持しながら、操作レバー１４が矢印方向に回転される（図８Ａを参照）。これによって、爪部１５と第１の鉄筋１０１との間に挟まれている鉄筋結束具２の腕部２４が第１の鉄筋１０１に巻き付けられ、鉄筋結束具２が第１の鉄筋１０１及び第２の鉄筋１０２に取り付けられる（図８Ｂを参照）。その後、掛止部１１ａ，１２ａが第１の鉄筋１０１に掛け止めされた状態を解除することによって、鉄筋結束具２の取り付け工程が完了する。
【００２８】
本実施の形態では、爪部１５が円柱形状の棒状部材で構成されているため、爪部１５と第１の鉄筋１０１との間に鉄筋結束具２の腕部２４を挟んだ状態で、取り付け治具１をスムースに回転させることができる。
【００２９】
また、本実施の形態では、爪部１５が軸回りに回転自在に設けられているため、爪部１５が回転不能な場合と比べて、爪部１５と腕部２４との間の摩擦を小さくすることができる。そのため、より小さな力で取り付け治具１を回転させることができる。さらに、腕部２４に擦れ傷が付くのを抑制することができるというメリットも生じる。
【００３０】
上述したように、本実施の形態の場合、操作レバー１４を回転させるだけで鉄筋結束具を取り付けることができるため、非力な作業者であっても容易に対応することができる。
【００３１】
（その他の実施の形態）
上記の実施の形態では、２つの掛止部１１ａ，１２ａが設けられているが、掛止部１１ａのみが設けられ、掛止部１２ａが設けられていない構成であってもよい。この場合、棒状部１２及び連結部１３も不要となる。このような構成でも、掛止部１１ａが第１の鉄筋１０１に掛け止めされた状態を維持しながら操作レバー１４を回転させることによって、爪部１５と第１の鉄筋１０１との間に挟まれている腕部２４を第１の鉄筋１０１に巻き付けることが可能である。但し、上記の実施の形態のように掛止部１２ａが設けられている構成の場合、取り付け治具１が第１の鉄筋１０１の２箇所で掛け止めされることになるため、安定した状態で操作レバー１４を回転させることができる。
【００３２】
また、上記の実施の形態では、爪部１５が円柱形状の棒状部材で構成されているが、これに限定されるわけではなく、楕円柱又は角柱などの他の外径形状であってもよい。
【産業上の利用可能性】
【００３３】
本発明の鉄筋結束具の取り付け治具は、主筋とフープ筋との交差部を結束する鉄筋結束具を取り付けるための取り付け治具として有用である。
【符号の説明】
【００３４】
１  取り付け治具
１１，１２  棒状部
１１ａ，１２ａ  掛止部
１３  連結部
１４  操作レバー
１５  爪部
２  鉄筋結束具
２１  屈曲部
２２，２３  鉄筋保持部
２４，２５  腕部
１０１  第１の鉄筋
１０２  第２の鉄筋
【図１】
2020197012.tif 000003
【図２】
2020197012.tif 000004
【図３】
2020197012.tif 000005
【図４】
2020197012.tif 000006
【図５】
2020197012.tif 000007
【図６】
2020197012.tif 000008
【図７】
2020197012.tif 000009
【図８Ａ】
2020197012.tif 000010
【図８Ｂ】
2020197012.tif 000011